(57)【要約】  一つ又は複数の凹部マーカーで凹部を画成している、第一のエッジ及び第二のエッジを備えたベースを含むスコーリングツール。マーカー凹部はベース中の穴であってよい。一つ又は複数のマーカーは、把持機構及びマーカーガイド中に静止することができる突起部を含むことができ、そしてマーカー凹部と連結できる伸縮自在のロック機構中にロックできる。ツールは、グリップ部分でスコーリングするためのペンアセンブリ、金属又は金属炭化物の一つ又は複数の先端で設計されたスコーリング先端、及びペンがその中に収納できる、ベース中のプレースホルダー（ｐｌａｃｅｈｏｌｄｅｒ）を有する。ツールは、ベースの一つ又はそれ以上の凹部内に嵌入できる取り外し可能なパッドを有する；パッドは、ベースに面した粘着性側部も有する。
2014522796.tif 000002
【特許請求の範囲】
【請求項１】
スコーリングツールであって：
ａ）凹部を画成している第一のエッジ及び第二のエッジ；及び
一つ又はそれ以上のマーカー凹部、
を有するベース；
ｂ）画成された凹部内に取り外し可能に嵌入でき、そして一つ又はそれ以上のスコーリング・ガイドラインを有するパッド；及び
ｃ）マーカー凹部と連結することができるロック機構を有する一つ又はそれ以上のマーカー；
ｄ）ベースに取り外し可能に連結されることができ、そして一つ又はそれ以上のスコーリング先端を有するペンアセンブリ、
を含んでなる、上記スコーリングツール。
【請求項２】
更に、ベースの第一のエッジ上に一つ又はそれ以上のマーカーガイドを含み、マーカーガイドが切欠きである請求項１に記載のスコーリングツール。
【請求項３】
マーカーが、マーカーガイド中に静止できる突起部を含み、それによってマーカーを所定の場所に固定する、請求項２に記載のスコーリングツール。
【請求項４】
マーカー凹部がベース中の穴である、請求項１に記載のスコーリングツール。
【請求項５】
ロック機構が、マーカー凹部と連結できる伸縮自在の突起部である、請求項１に記載のスコーリングツール。
【請求項６】
スコーリング先端が金属である、請求項１に記載のスコーリングツール。
【請求項７】
スコーリング先端が金属炭化物である、請求項１に記載のスコーリングツール。
【請求項８】
ペンアセンブリがグリップ部分を含む、請求項１に記載のスコーリングツール。
【請求項９】
更に、マーカーが把持機構を含む、請求項１に記載のスコーリングツール。
【請求項１０】
更に、収納スペースを含む、請求項１に記載のスコーリングツール。
【請求項１１】
取り外し可能なパッドが、ベース中の一つ又はそれ以上の対応する凹部と整列できる一つ又はそれ以上の突起部を含む、請求項１に記載のスコーリングツール。
【請求項１２】
取り外し可能なパッドが、ベース中の一つ又はそれ以上の対応する突起部と整列できる一つ又はそれ以上の凹部を含む、請求項１に記載のスコーリングツール。
【請求項１３】
取り外し可能なパッドが、ベースに解除可能に取り付けることができる粘着性側部を有する、請求項１に記載のスコーリングツール。
【発明の詳細な説明】
【技術分野】
【０００１】
（関連出願）
本出願は、２０１１年７月２９日に出願された米国出願番号Ｎｏ．１３／１９４，５９２の優先権を請求し、その教唆を支持するために参照することにより本明細書に取り込まれているものとする。
【背景技術】
【０００２】
スコーリングツールは、平らな物体を途中まで切り込んで（ｃｕｔ  ｔｈｒｏｕｇｈ）溝を作り出すための多様な設定において使用される。平らな物体は、次いで、溝に沿って折り畳まれ又は切り離すことができ、きれいなエッジを有する二つのセクションを創出する。
【０００３】
典型的に、スコーリングツールは二つの部分を有する：ガイド及びスコアラ。スコーリングツールを使用するために、スコアしようとする線に沿ってガイドが設定されるであろう。スコアラは次いでガイドに沿って動かされ、溝が作り出される。殆どのスコアラは先が鋭くないので、物体を完全に切り裂くわけではない。
【０００４】
スコーリングツールは多様な状況において及び多様な製品上で使用される。例えば、スコーリングツールは板金、ガラス、石英、大理石及びチョコレートさえも形付けるために使用される。しかしながら、美術及び工芸との関連で、スコーリングツールは、紙及び厚紙において多様な装飾的及び機能的特徴を創出するための特別な有用性を有する。例えば、スコーリングツールはペーパークラフト；ギフト包装；スクラップブック作成；カード作成；などにおいて装飾的及び機能的特徴を作るために使用できる。
【０００５】
そのような用途において、多様なスコーリングの方向及び空間配置がしばしば望ましい。しかしながら、従来のスコーリング技術はそのような用途に対して上手く適合しない。例えば、殆どの従来技術は、工業的用途における大規模のスコーリングに適合される。そのような技術は高価過ぎてそして扱いにく過ぎて、個人用スコーリングデバイスとして多くの価値があるものではない。個人用スコーリングツールとして有用であるために十分小さな従来技術では、スコーリングツールの方向及び空間配置における精度が得られない。それらはまた多様な状況に対する容易な適合性に上手く適さない。
【０００６】
現行技術における前述の制限、並びに、以下に論じる通りの他の制限は、その種々の実施態様における本発明によって解決される。
【発明の概要】
【０００７】
発明は、その種々の実施態様において、以下の特徴を含む。それは、凹部を画成している第一のエッジ及び第二のエッジ；及び一つ又はそれ以上のマーカー凹部を含むスコーリングツールである。画成された凹部内に取り外し可能に嵌入でき、そして一つ又はそれ以上のスコーリング・ガイドラインを有するパッドがある。ベースに取り外し可能に連結されることができ、そして一つ又はそれ以上のスコーリング先端を有するペンアセンブリと同様に、マーカー凹部と連結することができるロック機構を有する一つ又はそれ以上のマーカーが含まれる。スコーリングツールは、ベースの第一のエッジ上に一つ又はそれ以上のマーカーガイドを含むことができ、ここで、マーカーガイドは切欠きである。マーカーは、マーカーガイド中に静止することができる突起部を含むことができ、それによってマーカーを所定の場所に固定する。マーカー凹部はベース中の穴であってよい。ロック機構は、マーカー凹部と連結することができる、伸縮自在の（ｒｅｔｒａｃｔａｂｌｅ）突起部であってよい。一つの実施態様において、スコーリング先端は金属である。別の実施態様において、スコーリング先端は金属炭化物である。ペンアセンブリはグリップ部分を含むことができる。マーカーは把持機構を含むことができる。スコーリングツールは、収納スペースを含むことができる。一つの実施態様において、取り外し可能なパッドは、ベース中の一つ又はそれ以上の対応する凹部と整列することができる一つ又はそれ以上の突起部を含む。更に別の実施態様において、取り外し可能なパッドは、ベース中の一つ又はそれ以上の対応する突起部と整列することができる一つ又はそれ以上の凹部を含む。更に別の実施態様において、取り外し可能なパッドは、ベースに解除可能に取り付けることができる粘着性側部を有する。
【図面の簡単な説明】
【０００８】
【図１】本発明の一つの実施態様に記載の個人用スコーリングツールの正面図を示す。
【図２】本発明の一つの実施態様に記載の個人用スコーリングツールと連結して使用するための、分解されたペンアセンブリを示す。
【図３】本発明の一つの実施態様に記載の個人用スコーリングツールと連結して使用するための、組立てられたペンアセンブリを示す。
【図４】本発明の一つの実施態様による個人用スコーリングツールの上面図を示す。
【図５】本発明の一つの実施態様に記載のマーカーガイドデバイスの展開図を示す。
【図６】本発明の一つの実施態様に記載のマーカーの上面図を示す。
【図７】本発明の一つの実施態様に記載のマーカーの側面図を示す。
【図８】本発明の一つの実施態様に記載のマーカーの底面図を示す。
【図９】本発明の一つの実施態様に記載の図７におけるマーカーの断面図を示す。
【図１０】本発明の一つの実施態様に記載の収納部とびらの正面反転図を示す（しかしながら、とびらは実際に片側又は両側で頂部又は底部上にちょうつがいを付けられ得るであろう）。
【図１１】本発明の一つの実施態様に記載の収納部とびらの上面図を示す。
【図１２】本発明の一つの実施態様に記載の収納部とびらの背面図を示す。
【図１３】本発明の一つの実施態様に記載の収納部とびらの側面図を示す（ヒンジ機構のより詳細を示すが、多くの他のヒンジ機構は当業者に明らかであろう）。
【図１４】本発明の一つの実施態様に記載の取り外し可能なパッド挿入物の上面図を示す。
【図１５】本発明の一つの実施態様に記載の取り外し可能なパッド挿入物の下側を示す。
【図１６】本発明の一つの実施態様に記載の個人用スコーリングツールを示す。
【図１７】本発明の一つの実施態様に記載の異なるスコーリング・ガイドラインの方向を有する取り外し可能なパッド挿入物を示す。
【実施例】
【０００９】
発明の原理の理解を促進する目的で、ここで、図面において図示された例示的実施態様について記述され、そして同じくそれを記述するために特定用語が使用されるであろう。それにもかかわらず、それによって本発明の範囲の制限が意図されるものでは決してないと理解されるであろう。当業者及びこの開示を受けた者が思いつくであろう本明細書において図示された発明的特徴の如何なる変更及び更なる修正も、そして本明細書において説明された通りの本発明の原理の如何なる追加の適用も本発明の範囲内にあると考えられるべきである。
【００１０】
図１を参照すると、個人用スコーリングツールの正面図が本発明の一つの実施態様に従って示される。スコーリングツール１００は、ベース１０２を含み、その上には取り外し可能なパッド挿入物１０３を置くことができる。ベース１０２は、空間を画成している側部エッジ１０４及び頂部エッジ１０６を有し、その内に取り外し可能なパッド１０３が挿入できる。尚、用語「側」及び「頂部」は例示目的のためにのみ供され、そして、デバイスの如何なる特別な方向にも請求の範囲を限定することを意図するものではない。エッジ１０４、１０６はパッド１０３を所定の場所に保持するために役立つ。
【００１１】
ベース１０２には、一つ又はそれ以上のマーカー１０８を備えることができる。以下に更に論じられるように、一つの実施態様において、マーカー１０８は、頂部エッジ１０６上の溝１０６と組み合わせて凹部１０９を通して所定の場所に固定できる。本実施態様において、凹部１０９は、ベース１０２中の一連の実質的に矩形の穴であり、その中にマーカー１０８が固定できる。しかしながら、凹部は、多様なマーカー固定機構を収容するであろう他の形、深さ及び構成を有することができるであろう。
【００１２】
ベース１０２は、凹部１１０も含むことができ、ペンアセンブリ１１２がその内に挿入される。この図において示された凹部は、ペンアセンブリがその場所内にパチンと閉り、そしてしっかりと保持されるように、ペンアセンブリ１１２のサイズに適合される。この実施態様において、ペンアセンブリ１１２はグリップ部分１１４及び一つ又はそれ以上のスコーリング先端１１６、１１８を含む。尚、本実施態様において、ペンアセンブリ１１２は異なるサイズの二つのスコーリング先端１１６、１１８を有する。尚、幾つかの実施態様において、単一のスコーリング先端のみを有することが望ましかもしれない。この実施態様において、スコーリング先端１１６、１１８は、スコーリングされる表面の引き裂きを避けるために実質的に丸められる。他の実施態様において、スコーリング先端は、スコーリングのためのエッジを創出するように、もっと直線的であることができるであろう；又はそれらが、先をより尖らせるようにテーパを付けることができるであろう。
【００１３】
スコーリングツール１００は、追加のスタイラス、先端などをしまっておくための収納スペースも含むことができる。本実施態様において、収納スペースはベース１０２の頂部端に存在し、そしてコーナー１２２及び１２４で、ヒンジ連結されたとびら１２０を含む。
【００１４】
或る実施態様において、一つ又はそれ以上の脚１２６を含むことが望ましくあり得る。この場合、脚１２６は接着剤でベースに固定された円形のマーキング無のゴムパッドであり−そのことによってスコーリングツール１００が、それがその上に置かれる表面を掴むことが可能にする。当業者にとって明らかであるような多くの他の材料が、そこでツール１００が使用されようとする環境に依存して、利用されることができるであろう。
【００１５】
ここで図２及び３を参照すると、ペンアセンブリ１１２は、スコーリング先端１１６、１１８上のオス端１３６、１３８に対応するメス端１４０を有する本体１２８を含むことができる。本実施態様において、オス端１３６、１３８は、ヒート・ステーク又は超音波溶接によって本体１２８に取り付けられる。多くの他の取り付け機構が当業者には明らかであろうし、そして本発明の範囲内で考えられるであろう。
【００１６】
一つの実施態様において、本体１２８はＡＢＳ材料で作られる。しかしながら、それは制限するものではないが、他のプラスチック、木材及び金属を含む多くの他の材料で作ることができる。本体は快適なグリップ部分１１４を含むことができる。本実施態様において、グリップ部分１１４は熱可塑性エラストマで作られるオーバーモールドである。しかしながら、それは、制限するものではないが、ゴム、プラスチック、金属、布又は木材の他のタイプを含む種々の材料で作ることができる。この実施態様において、グリップ１１４は、本体１２８中の突起部１３２及び凹部１４４に対応する突起部１４２及び凹部１３４を有する。グリップ１１４は人間工学的に優しい特徴及び構成を含むことができる。
【００１７】
スコーリング先端１１６、１１８は種々の形であることができる。例えば、先端１１６はそのベースで実質的に円筒状であり、そして球先端１３７に対して１３５でテーパになり−それは上述の通り、種々のサイズであってよく、そして球状である必要はない。本実施態様において、スコーリング先端１１６、１１８は金属でつくられる。金属及び金属炭化物は、スコーリング用途に対して並はずれて良好に働くことが見出された。
【００１８】
ここで図４〜９を参照すると、マーカー１０８は、使用者がスコーリングされる線を非常に精密にかつ正確に追跡することを可能にする。一つの実施態様において、マーカー１０８は、把持機構１４６を有するプラスチック片である。把持機構１４６によって、必要に応じて、使用者がマーカー１０８を容易に置きそして取り外すことを可能にする。マーカー１０８はロック機構１４８も含むことができる。本実施態様において、ロック機構１４８は、マーカー１０８を凹部１０９内にしっかりとはめ込む（ｓｎａｐ  ｉｎｔｏ）ことを可能にする伸縮自在のコブ状の突起部１５０を含む。
【００１９】
図４において示された実施態様は、ベース１０２の頂部エッジ１０６においてマーカーガイド１０７も含む。これらのマーカーガイド１０７はマーカー１０８上の突起部１５２に対応する切欠き又は溝であり、その結果、マーカー１０８が二つの場所−つまり、凹部１０９中にマーカー１０８を固定しているロック機構１４８、及びガイド１０７中にマーカー１０８を固定している突起部１５２、において固定されることを可能になる。
【００２０】
尚、或る実施態様において、マーカー１０８の望ましい移動度に依存して、前述の特徴の一つのみを含むことが望ましくあり得る。
【００２１】
本実施態様において、マーカーはプラスチックで作られる。しかしながら、尚、それらは、制限するものではないが、金属、木材及び硬質ゴムを含む種々の材料で作られ得るであろう。
【００２２】
ここで図１０〜１３を参照すると、収納スペースとびら１２０が本発明の一つの実施態様に従って示される。とびら１２０はハンドル１５４、及びコーナー１２２及び１２４で付着するヒンジ機構１５６を含む。図４において最もよく見られるように、ベース１０２は、とびら１５８の頂部エッジが、ベースと実質的に同一平ら面にあることを可能にする凹部を含むことができる。
【００２３】
図１４〜１７を参照すると、取り外し可能なガイドパッド１０３は、あらゆる種類のスコーリング・ガイドラインの方向を含むことができ、そして使用者の好み及び必要性に従ってスワップアウトできる。図１６及び１７において見られるように、ガイドパッド１０３上のスコーリング・ガイドラインは、それらの方向において、角度を有する、垂直な、水平な又はそれらの組合せさえ、あってよい。それらは等間隔又は非等間隔であってよい。ガイドラインはしっかりとグループ化されるか又は比較的に遠く離れていてもよい。取り外し可能なガイドパッド１０３は、スコーリング能力において比較的低コストで、非常な多様性を可能にする。それは使用者が、摩耗してしまった、さもなければ使用不可能なパッドを容易にそして比較的安価に置き換えることも可能にする。
【００２４】
図１５を参照すると、ガイドパッド１０３の底部は、隆起１６０、又はベース１０２にパッド１０３を固定するために、スコアパッドベース１０２において対応する溝又は凹部と整列する他の突起部を含むことができる。尚、このようにしてパッド１０３を固定することは、限定するものではないが、ベース１０２上に突起部をそしてパッド１０３上に凹部を有することを含む種々の他の方法においても成され得るであろう。パッド１０３の安全性は、下側に粘着面を含むことによっても達成され得るであろう。
【００２５】
パッドは、制限するものではないが、プラスチック、ゴム、金属、布又は木材を含む種々の材料で作られ得るであろう。
【００２６】
上述の配置は、本発明の基本原理の適用の単なる例示であることが理解される。本発明の精神と範囲を逸脱することなく、多くの修正及び代替配置が当業者によって工夫され得る。添付された請求の範囲は、そのようなに修正及び配置を包含することを目的としている。
【図１】
2014522796.tif 000003
【図２】
2014522796.tif 000004
【図３】
2014522796.tif 000005
【図４】
2014522796.tif 000006
【図５】
2014522796.tif 000007
【図６】
2014522796.tif 000008
【図７】
2014522796.tif 000009
【図８】
2014522796.tif 000010
【図９】
2014522796.tif 000011
【図１０】
2014522796.tif 000012
【図１１】
2014522796.tif 000013
【図１２】
2014522796.tif 000014
【図１３】
2014522796.tif 000015
【図１４】
2014522796.tif 000016
【図１５】
2014522796.tif 000017
【図１６】
2014522796.tif 000018
【図１７】
2014522796.tif 000019
【国際調査報告】
2014522796.tif 000020